(57)【要約】【課題】着用時の違和感を抑制しつつ、廃棄時に後処理用のテープ部によって清潔に廃棄できる吸収性物品を提供する。【解決手段】吸収性物品（１０）は、表面シート（２１）、裏面シート（２２）及び吸収コア（２３）が重なる本体領域（ＲＡ）と、吸収コアの外縁よりも延出し、かつ少なくとも表面シート及び裏面シートが配置された延出領域（ＲＢ）と、を有する。延出領域には、非肌対向面が吸収性物品の肌対向面側に向くように折り返し可能に構成されたテープ部（８０）と、テープ部を構成しない非テープ部（８１）と、が設けられている。テープ部の非肌対向面は、本体領域の非肌対向面及び非テープ部の非肌対向面の少なくとも一方に止着可能に構成されている。【選択図】図３
2019115586.tif 000002
【特許請求の範囲】
【請求項１】
前後方向と、
前記前後方向に直交する幅方向と、
表面シート、裏面シート及び吸収コアが重なる本体領域と、
前記吸収コアの外縁よりも延出し、かつ少なくとも前記表面シート及び前記裏面シートが配置された延出領域と、を有し、
前記延出領域には、非肌対向面が前記吸収性物品の肌対向面側に向くように折り返し可能に構成されたテープ部と、前記テープ部を構成しない非テープ部と、が設けられており、
前記テープ部の前記非肌対向面は、前記本体領域の非肌対向面及び前記非テープ部の非肌対向面の少なくとも一方に止着可能に構成されている、吸収性物品。
【請求項２】
前記延出領域には、前記吸収性物品の外縁から前記吸収性物品の内側へ向けた方向に延びる引き裂き部が設けられている、請求項１に記載の吸収性物品。
【請求項３】
前記引き裂き部は、前記吸収性物品の外縁に位置する外端から前記吸収性物品の内側に位置する内端縁まで延びており、
前記内端縁は、前記延出領域内で終端している、請求項２に記載の吸収性物品。
【請求項４】
前記引き裂き部は、一対で設けられており、
前記一対の引き裂き部は、前記引き裂き部の延びる延出方向と直交する直交方向に間隔を空けて配置されている、請求項２又は請求項３に記載の吸収性物品。
【請求項５】
前記引き裂き部は、前記吸収性物品の外縁に位置する第１外端縁から前記吸収性物品の外縁に位置する第２外端縁まで延びている、請求項２に記載の吸収性物品。
【請求項６】
前記延出領域の前記表面シート及び前記裏面シートの少なくとも一つは、繊維を含むシート材であり、
前記引き裂き部は、前記繊維の配向方向に沿っている、請求項２から請求項５のいずれかれか１項に記載の吸収性物品。
【請求項７】
前記延出領域には、吸収性物品の前後方向の中心よりも後側に位置するヒップフラップが設けられており、
前記引き裂き部は、前記ヒップフラップに設けられている、請求項２から請求項６のいずれか一項に記載の吸収性物品。
【請求項８】
前記延出領域は、前記吸収性物品の外側に突出した凸部を有しており、
前記テープ部は、前記凸部によって構成されている、請求項１に記載の吸収性物品。
【請求項９】
前記凸部は、前記凸部の幅が短く形成されたくびれ部を有する、請求項８に記載の吸収性物品。
【請求項１０】
前記延出領域には、前記凸部の麓部どうしを結ぶ方向に沿って延びる引き裂き部が形成されている、請求項８又は請求項９に記載の吸収性物品。
【請求項１１】
前記凸部の突出した突出長さは、前記凸部の麓部どうしを繋いだ距離よりも長い、請求項８から請求項１０のいずれか１項に記載の吸収性物品。
【請求項１２】
前記テープ部の非肌対向面側には、前記吸収性物品を着用物品に止めるための粘着部が設けられている、請求項１から請求項１１のいずれか１項に記載の吸収性物品。
【請求項１３】
前記吸収性物品を着用物品に止めるための粘着部を有し、
前記粘着部は、前記吸収性物品の非肌対向面側に配置され、前記吸収性物品の肌対向面側に配置されていない、請求項１から請求項１２のいずれか１項に記載の吸収性物品。
【請求項１４】
前記テープ部は、前記本体領域よりも前記前後方向の外側に設けられている、請求項１から請求項１３のいずれか１項に記載の吸収性物品。
【発明の詳細な説明】
【技術分野】
【０００１】
本発明は、後処理用のテープ部を備えた吸収性物品に関する。
【背景技術】
【０００２】
特許文献１及び特許文献２は、後処理用のテープ部を備えた使い捨ておむつや生理用ナプキンのような吸収性物品を開示している。特許文献１の吸収性物品は、着用物品に吸収性物品を止めるための粘着部と、当該粘着部が設けられた裏面シートと、を有し、裏面シートの一部が剥離可能に構成されている。使用者は、吸収性物品の廃棄時に、吸収性物品を折り畳み、かつ剥離した部分（テープ部）を粘着部に止めることによって、テープ部によって吸収性物品を丸めた状態で固定する。
【０００３】
また、特許文献２の吸収性物品は、着用物品に吸収性物品を止めるための粘着部と、当該粘着部が設けられた裏面シートと、を有し、裏面シートの一部がナプキン吸収面よりも前後方向の外側に延出している。この延出した部分の吸収面側に、吸収性物品を丸めた状態で固定するテープ部が設けられている。
【先行技術文献】
【特許文献】
【０００４】
【特許文献１】実開平４−１１４３１７号公報
【特許文献２】実開平４−３５４２２号公報
【発明の概要】
【発明が解決しようとする課題】
【０００５】
特許文献１に記載のテープ部は、裏面シートの剥離可能な部分によって構成されており、当該剥離可能な部分は、吸収体に重なっている。よって、テープ部が剥離した状態で、吸収体からの体液の漏れや吸収材料が零れることがあり、吸収性物品を清潔に廃棄することができないおそれがあった。
【０００６】
また、特許文献２のテープ部は、ナプキン吸収面よりも延出した部分の吸収面側に設けられている。よって、テープ部は、吸収性物品の着用時に着用者の肌に触れることがあり、装着時の違和感が生じるおそれがあった。
【０００７】
したがって、着用時の違和感を抑制しつつ、廃棄時に後処理用のテープ部によって清潔に廃棄できる吸収性物品が望まれる。
【課題を解決するための手段】
【０００８】
一態様に係る吸収性物品は、前後方向と、前記前後方向に直交する幅方向と、表面シート、裏面シート及び吸収コアが重なる本体領域と、前記吸収コアの外縁よりも延出し、かつ少なくとも前記表面シート及び前記裏面シートが配置された延出領域と、を有し、前記延出領域には、前記非肌対向面が前記吸収性物品の肌対向面側に向くように折り返し可能に構成されたテープ部と、前記テープ部を構成しない非テープ部と、が設けられており、前記テープ部の前記非肌対向面は、前記本体領域の非肌対向面及び前記非テープ部の非肌対向面の少なくとも一方に止着可能に構成されている。
【図面の簡単な説明】
【０００９】
【図１】図１は、肌対向面側から見た実施形態に係る吸収性物品の平面図である。
【図２】図２は、非肌対向面側から見た実施形態に係る吸収性物品の平面図である。
【図３】図３は、前後方向に巻かれた状態の吸収性物品の斜視図である。
【図４】図４は、肌対向面側から見た変形例１に係る吸収性物品の平面図である。
【図５】図５は、肌対向面側から見た変形例２に係る吸収性物品の平面図である。
【図６】図６は、肌対向面側から見た変形例３に係る吸収性物品の平面図である。
【図７】図７は、肌対向面側から見た変形例４に係る吸収性物品の平面図である。
【発明を実施するための形態】
【００１０】
（１）実施形態の概要
本明細書及び添付図面の記載により、少なくとも以下の事項が明らかとなる。
【００１１】
一態様に係る吸収性物品は、前後方向と、前記前後方向に直交する幅方向と、表面シート、裏面シート及び吸収コアが重なる本体領域と、前記吸収コアの外縁よりも延出し、かつ少なくとも前記表面シート及び前記裏面シートが配置された延出領域と、を有し、前記延出領域には、前記非肌対向面が前記吸収性物品の肌対向面側に向くように折り返し可能に構成されたテープ部と、前記テープ部を構成しない非テープ部と、が設けられており、前記テープ部の前記非肌対向面は、前記本体領域の非肌対向面及び前記非テープ部の非肌対向面の少なくとも一方に止着可能に構成されている。
【００１２】
使用者は、廃棄時に、吸収性物品の肌対向面を内側にして吸収性物品を丸めた状態でテープ部を折り返すことにより、吸収性物品の肌対向面側（丸めた状態の内側）にテープ部の非肌対向面を向けることができる。丸められた部分の外側にテープ部を配置することにより、丸められた部分の非肌対向面とテープ部の非肌対向面が向き合って配置される。テープ部を本体領域又は非テープ部に止着することにより、吸収性物品を丸めてテープ部によって固定できる。
【００１３】
テープ部は、吸収コアよりも延出した延出領域に設けられている。よって、テープ部が吸収コアに直接影響せず、吸収コアからの体液の漏れや吸収材料が零れることを抑制できる。また、テープ部の止着面（裏面シート）は、使用時に着用者の肌に向けられない。そのため、吸収性物品の着用時にテープ部の止着面が着用者の肌に触れることによる違和感を抑制できる。よって、着用時の違和感を抑制しつつ、廃棄時に後処理用のテープ部によって清潔に廃棄できる。
【００１４】
好ましい一態様によれば、前記延出領域には、前記吸収性物品の外縁から前記吸収性物品の内側へ向けた方向に延びる引き裂き部が設けられている。
【００１５】
引き裂き部によって延出領域を部分的に引き裂くことにより、当該引き裂かれた部分をテープ部として用いることができる。
【００１６】
好ましい一態様によれば、前記引き裂き部は、前記吸収性物品の外縁に位置する外端から前記吸収性物品の内側に位置する内端縁まで延びており、前記内端縁は、前記延出領域内で終端している。
【００１７】
引き裂き部が延出領域内で終端しており、吸収コアが配置された本体領域に到達していない。そのため、引き裂き部の全域にわたって分断した場合であっても、テープ部が吸収コアに直接影響せず、吸収コアからの体液の漏れや吸収材料が零れることを抑制できる。
【００１８】
好ましい一態様によれば、前記引き裂き部は、一対で設けられており、前記一対の引き裂き部は、前記引き裂き部の延びる延出方向と直交する直交方向に間隔を空けて配置されている。
【００１９】
引き裂き部によって延出領域を部分的に引き裂くことにより、一対の引き裂き部によって挟まれた部分をテープ部として用いることができる。
【００２０】
好ましい一態様によれば、前記引き裂き部は、前記吸収性物品の外縁に位置する第１外端縁から前記吸収性物品の外縁に位置する第２外端縁まで延びている。
【００２１】
引き裂き部によって引き裂くことにより、テープ部を非テープ部から分断できる。よって、廃棄時におけるテープ部の取り付け位置の制限が少なく、吸収性物品を丸めた状態で取り付け易い箇所にテープ部を固定できる。
【００２２】
好ましい一態様によれば、前記延出領域の前記表面シート及び前記裏面シートの少なくとも一つは、繊維を含むシート材であり、前記引き裂き部は、前記繊維の配向方向に沿っている。
【００２３】
このような構成によれば、引き裂き部によって分断する際に、繊維の配向に沿って引き裂き箇所が延び易く、テープ部を容易に設け、廃棄することができる。
【００２４】
好ましい一態様によれば、前記延出領域には、吸収性物品の前後方向の中心よりも後側に位置するヒップフラップが設けられており、前記引き裂き部は、前記ヒップフラップに設けられている。
【００２５】
ヒップフラップは、臀部の側部を覆うように設けられており、体液が直接付着し難い。当該ヒップフラップに引き裂き部を設けることにより、引き裂き部によって延出領域を引き裂く際に、手に体液が付着することを抑制できる。
【００２６】
好ましい一態様によれば、前記延出領域は、前記吸収性物品の外側に突出した凸部を有しており、前記テープ部は、前記凸部によって構成されている。
【００２７】
凸部は、延出領域において吸収性物品の外側に突出した部分であり、凸部に隣接する領域に対して折り返されやすい。使用者は、凸部を折り返し、テープ部を本体領域又は延出領域に止着することにより、吸収性物品を丸めてテープ部によって固定できる。
【００２８】
好ましい一態様によれば、前記凸部は、前記凸部の幅が短く形成されたくびれ部を有する。
【００２９】
くびれ部は、テープ部を折り返す際の折り返しの基点となり易い。使用者は、容易に凸部によるテープ部を折り返しやすくなる。
【００３０】
好ましい一態様によれば、前記延出領域には、前記凸部の麓部どうしを結ぶ方向に沿って延びる引き裂き部が形成されている。
【００３１】
引き裂き部によって引き裂くことにより、テープ部の麓部どうしの距離を短くできる。凸部の麓部は、テープ部を折り返す際に基点となって捻れる部分である。当該麓部どうしの距離を短くなることにより、テープ部を折り返す際に捻る領域が短くなり、折り返しやすくなる。また、麓部どうしを繋ぐように引き裂き部を設けることにより、テープ部を分断できる。よって、廃棄時におけるテープ部の取り付け位置の制限が少なく、吸収性物品を丸めた状態で取り付け易い箇所にテープ部を固定できる。
【００３２】
好ましい一態様によれば、前記凸部の突出した突出長さは、前記凸部の麓部どうしを繋いだ距離よりも長い。
【００３３】
凸部の麓部は、テープ部を折り返す際に基点となって捻れる部分又は引き裂かれる部分である。当該麓部どうしを繋いだ距離が短いため、テープ部を折り返す際に捻る領域又は引き裂き部によって引き裂く領域が短くなり、テープ部を使用し易くなる。
【００３４】
好ましい一態様によれば、前記テープ部の非肌対向面側には、前記吸収性物品を着用物品に止めるための粘着部が設けられている。
【００３５】
テープ部の粘着部によってテープ部を本体領域又は延出領域に固定し、吸収性物品を丸めた状態を維持できる。
【００３６】
好ましい一態様によれば、前記吸収性物品を着用物品に止めるための粘着部を有し、
前記粘着部は、前記吸収性物品の非肌対向面側に配置され、前記吸収性物品の肌対向面側に配置されていない。
【００３７】
吸収性物品の肌対向面側に粘着部が配置されていないため、着用時に粘着部が肌に向けられない。吸収性物品の粘着部が着用者の肌に触れることによる違和感を抑制できる。
【００３８】
好ましい一態様によれば、前記テープ部は、前記本体領域よりも前記前後方向の外側に設けられている。
【００３９】
吸収性物品を前後方向に丸めると、吸収コアの前記前後方向の外端縁は、丸められた状態で表面に露出する。当該露出した部分にテープ部が配置されるため、使用者がテープ部を容易に認識し、テープ部によって吸収性物品を丸めた状態を維持できる。
【００４０】
（２）吸収性物品の構成
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。吸収性物品は、下着のような着用物品の内側に取り付けられて使用される物品であってよい。
【００４１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００４２】
図１は、肌対向面側から見た第１実施形態に係る吸収性物品１０の平面図である。図２は、非肌対向面側から見た第１実施形態に係る吸収性物品１０の平面図である。ここで、「肌対向面側」は、使用中に着用者の肌に面する側に相当する。「非肌対向面側」は、使用中に着用者の肌とは反対に向けられる側に相当する。図３は、前後方向に巻かれた状態の吸収性物品の斜視図である。
【００４３】
吸収性物品１０は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００４４】
吸収性物品１０は、着用者の肌に向けられる表面シート２１と、着用者の肌とは反対側に向けられる裏面シート２２と、表面シート２１と裏面シート２２の間に配置された吸収コア２３と、を含む。表面シート２１は、使用中に着用者の肌の方に向く。裏面シート２２は、使用中に、着用者の肌とは反対側に向けられる。吸収コア２３は、体液を吸収する吸収材料を含み、吸収性物品の前後方向Ｌに沿って延びている。表面シート及び裏面シートの少なくとも一つは、繊維を含むシート材であってよい。また、裏面シートの非肌対向面の少なくとも一部は、テープ部として機能してもよく、フィルムによって構成されてよい。
【００４５】
吸収性物品１０は、表面シート２１、裏面シート２２及び吸収コア２３が重なる本体領域ＲＡと、吸収コア２３の外縁よりも延出し、かつ少なくとも表面シート２１及び裏面シート２２が配置された延出した延出領域ＲＢと、を有する。本体領域ＲＡは、吸収性物品１０の幅方向Ｗの中央、かつ吸収性物品１０の前後方向Ｌの中央に位置してよい。延出領域ＲＢは、本体領域ＲＡの外縁よりも外側に位置してよい。延出領域ＲＢには、本体領域ＲＡの吸収コア２３が配置されてなくてよい。図２において、本体領域ＲＡと延出領域ＲＢに異なる斜線を付して示す。なお、延出領域ＲＢは、本体領域ＲＡの吸収コア２３と異なる吸収部が部分的に配置されていてもよい。この場合、本体領域ＲＡの吸収コア２３と、延出領域ＲＢの吸収部と、は、離間しており、連通していない。加えて、吸収部は、後述する引き裂き部とは、離間しており、連通していないことが好ましい。
【００４６】
また、表面シート２１は、本体領域ＲＡと延出領域ＲＢを含む吸収性物品の全体に設けられた１枚のシートによって構成されてもよいし、本体領域ＲＡに配置された第１表面シートと延出領域ＲＢに配置された第２表面シートとによる複合シートによって構成されていてもよい。このとき、第１表面シートが親水性の繊維を有し、第２表面シートが撥水性を有することが好ましい。第１表面シートによって体液の引き込みを確保できる。また、第２表面シートに体液が付着し難く、テープ部８０が汚れ難くなる。すなわち、延出領域ＲＢの少なくともテープ部８０に配置される表面シートは、撥水性を有することが好ましい。
【００４７】
吸収性物品１０は、ウイング４０及びヒップフラップ５０を有していてもよい。ウイング４０は、使用時に着用物品のクロッチ部の非肌対向面側に折り返される。ヒップフラップ５０は、ウイング４０よりも後方で、幅方向Ｗに膨らんだ部分である。ヒップフラップ５０は、幅方向Ｗにおける吸収コア２３の外縁よりも外側に膨らんだ部分である。ヒップフラップ５０の少なくとも一部は、吸収性物品１０の前後方向の中心よりも後側に位置する。ウイング４０及びヒップフラップ５０は、延出領域ＲＢに設けられてよい。
【００４８】
吸収性物品１０は、使用中に着用者の排泄口（例えば膣口）に対向する排泄口対向域Ｓ１を有する。排泄口対向域Ｓ１は、着用者の股下、すなわち着用者の両足の間に配置される領域であって、吸収コア２３が存在する領域に相当する。なお、ウイング４０を有する吸収性物品１０では、排泄口対向域Ｓ１は、ウイング４０どうしの間であって、吸収コア２３が存在する領域に相当する。
【００４９】
図２に示すように、吸収性物品１０は、裏面シート２２の非肌対向面側に設けられた粘着部４２，５２，７０を有してよい。粘着部４２，５２，７０は、吸収性物品１０を着用物品に止めるための粘着剤が設けられた領域である。粘着部は、本体粘着部７０と、ウイング粘着部４２と、フラップ粘着部５２と、を含んでよい。粘着部は、吸収性物品の非肌対向面側に配置され、吸収性物品の肌対向面側に配置されなくてよい。吸収性物品の肌対向面側に粘着部が配置されていないため、着用時に粘着部が肌に向けられない。吸収性物品の粘着部が着用者の肌に触れることによる違和感を抑制できる。
【００５０】
裏面シート２２の非肌対向面側に設けられた粘着部４２，５２，７０によって、吸収性物品１０を下着等の着用物品に固定することができる。また、粘着部４２，５２，７０によって、吸収性物品１０の使用後に、吸収性物品１０を巻いた状態で、後述するテープ部８０を止着させ、巻いた状態を維持することもできる。したがって、粘着部４２，５２，７０は、着衣に固定する用途と、後処理用のテープ部８０を止着する用途と、の２つに兼用できる。
【００５１】
本体粘着部７０は、吸収性物品１０の厚さ方向において、吸収コア２３と重なる領域、すなわち本体領域ＲＡに設けられている。本体粘着部７０は、少なくとも排泄口対向域Ｓ１から吸収性物品１０の後方へ連続的又は断続的に延びていることが好ましい。本体粘着部７０は、前後方向Ｌに延びており、幅方向Ｗに間隔をあけて複数設けられていてよい。他の形態において、本体粘着部７０は、幅方向Ｗに延び、かつ前後方向に間隔を空けて複数設けられてよい。
【００５２】
ウイング粘着部４２は、ウイング４０に設けられている。ウイング４０は、使用中に着用者の着用物品に折り返され、ウイング粘着部４２によって着用物品の非肌対向面側に取り付けられる。フラップ粘着部５２は、ヒップフラップ５０に設けられている。ウイング粘着部４２及びフラップ粘着部５２は、延出領域ＲＢに設けられている。
【００５３】
吸収性物品１０は、幅方向Ｗに沿って延びた折り目を有していてもよい。図１，２に示す例では、吸収性物品１０の折り目は、第１折り目Ｆ１と、第２折り目Ｆ２と、第３折り目Ｆ３と、を有している。第１折り目Ｆ１は、吸収性物品１０の前端縁Ｅ１に最も近い折り目である。第２折り目Ｆ２は、吸収性物品１０の後端縁Ｅ２に最も近い折り目である。第３折り目Ｆ３は、第１折り目Ｆ１と第２折り目Ｆ２の間に配置される。なお、折り目は、４本以上設けられていてもよい。折り目は、吸収性物品の包装時に、吸収性物品の肌対向面側を内側にして吸収性物品１０を折り畳むためのラインである。
【００５４】
本実施の形態の吸収性物品の具体的な構成の一例を示す。表面シートは、目付３０ｇ／ｍ２のエアースルー不織布（PE/PET）によって構成されてよい。表面シートと吸収コアの間にセカンドシートが設けられてよい。セカンドシートしては、表面シートと同様の材料によって構成されてよい。本体部の幅方向の外側には、表面シートが配置されず、サイドシートが配置されてもよい。サイドシートとしては、目付１３ｇ／ｍ２のＳＭＳ不織布（PP）によって構成されてよい。吸収コアの吸収材料は、針葉樹クラフトパルプと高吸収ポリマーによって構成されてよい。吸収材料全体の重量に対する高吸収ポリマーの重量の比率は、１０％であってよい。排泄口対向域Ｓ１を含む領域の吸収コアの目付は、周囲の吸収コアの目付よりも高く構成されてよい。排泄口対向域Ｓ１を含む領域の吸収コアの目付は、９５０ｇ／ｍ２であってよく、周囲の吸収コアの目付は、３００ｇ／ｍ２であってよい。裏面シートは、目付２３．５ｇ／ｍ２のポリエチレンフイルム（非通気タイプ）によって構成されてよい。吸収性物品は、表面シートと吸収コアが厚み方向に圧搾された圧搾部が形成されていてもよい。本体粘着部は、ゴム系のホットメルト型接着剤によって構成されてよい。本体粘着部の目付は、２７ｇ／ｍ２のであってよい。本体粘着部は、幅方向に空けて６本設けられてよい。各本体粘着部の幅方向の長さは、５ｍｍ、各本体粘着部の前後方向の長さは、３２０ｍｍであってよい。吸収性物品の前後方向の長さは、４２０ｍｍ、吸収性物品の幅方向の長さは、２００ｍｍであってよい。後処理用のテープ部材は、目付３５ｇ／ｍ２のポリエチレンフイルムによって構成されてよい。テープ部の長手方向の長さは、４５ｍｍ、テープ部の短手方向の長さは、２５ｍｍであってよい。
【００５５】
次いで、テープ部８０について詳細に説明する。テープ部８０は、吸収性物品１０の廃棄時に、巻かれた状態の吸収性物品に止着し、吸収性物品１０が巻かれた状態を維持するように構成されてよい。延出領域ＲＢは、テープ部８０と、非テープ部８１と、が設けられている。テープ部８０は、テープ部８０の非肌対向面（裏面シート２２及び粘着部が設けられている面）が吸収性物品１０の肌対向面側に向くように折り返し可能に構成されている。テープ部８０の非肌対向面が吸収性物品１０の肌対向面側に向くように折り返された状態は、折り返し前の状態に対して、テープ部８０の表面シート２１と裏面シート２２が反対側に向いた状態である。
【００５６】
テープ部８０が折り返された状態では、テープ部の裏面シート２２、折り返されてない非テープ部８１の表面シート２１、及び本体領域ＲＡの表面シート２１は、肌対向面側に向かって配置されてよい。非テープ部８１は、テープ部８０の折り返しによって、折り返されない部分である。
【００５７】
テープ部８０の非肌対向面は、本体領域ＲＡの非肌対向面及び非テープ部８１の非肌対向面の少なくとも一方に止着可能に構成されている。テープ部８０の非肌対向面は、本体領域ＲＡの非肌対向面に止着してもよいし、非テープ部８１の非肌対向面に止着してもよいし、本体領域ＲＡの非肌対向面と非テープ部８１の非肌対向面の両方に止着してもよい。
【００５８】
図３に示すように、吸収性物品１０の肌対向面を内側にして吸収性物品を丸めた状態でテープ部を折り返すことにより、吸収性物品の肌対向面側（丸めた状態の内側）にテープ部８０の非肌対向面を向けることができる。丸められた部分の外側にテープ部８０を配置することにより、丸められた部分の非肌対向面とテープ部８０の非肌対向面が向き合って配置される。この状態で、テープ部８０を、本体領域ＲＡ又は非テープ部８１に止着することにより、吸収性物品を丸めてテープ部８０によって固定できる。
【００５９】
テープ部８０は、吸収コアよりも延出した延出領域ＲＢに設けられている。よって、テープ部が吸収コアに直接影響せず、吸収コアからの体液の漏れや吸収材料が零れることを抑制できる。また、テープ部の止着面（非肌対向面）は、使用時に着用者の肌に向けられない。そのため、吸収性物品の着用時にテープ部の止着面が着用者の肌に触れることによる違和感を抑制できる。よって、着用時の違和感を抑制しつつ、廃棄時に後処理用のテープ部によって清潔に廃棄できる。
【００６０】
テープ部８０が本体領域ＲＡに対して止着する構成は、本体粘着部７０であってもよい。または、テープ部８０の非肌対向面側には、吸収性物品１０を着用物品に止着するための粘着部が設けられてよい。具体的には、テープ部８０のウイング粘着部４２又はフラップ粘着部５２によって、テープ部８０が本体領域ＲＡに止着してもよい。テープ８０部の粘着部によってテープ部８０を本体領域ＲＡに止着し、吸収性物品１０を丸めた状態を維持できる。また、テープ部８０が非テープ部８１に対して止着する構成は、ウイング粘着部４２又はフラップ粘着部５２であってよい。他の形態として、テープ部８０にフック部材等の止着手段を設け、当該止着手段によって、テープ部８０が本体領域ＲＡ又は非テープ部８１に対して止着してもよい。
【００６１】
テープ部８０と非テープ部８１の境界には、引き裂き部８５が設けられてよい。引き裂き部８５は、使用者が延出領域ＲＢを容易に引き裂くことができるように構成されている。引き裂き部８５によって延出領域ＲＢを部分的に引き裂くことにより、当該引き裂かれた部分をテープ部８０として用いることができる。具体的な引き裂き部８５の構成としては、ミシン目、資材の強度を周囲よりも低くした脆弱部、及びこれらの組み合わせを例示できる。ミシン目は、延出領域ＲＢの表面シート２１及び裏面シート２２を貫通した開口を有してよい。また、脆弱部は、延出領域ＲＢを構成する表面シート２１等の資材を拡幅することによって目付を低下させた部分、裏面シート２２に開口を設けずに表面シート２１に開口を設け、周囲と比較して強度を低くした部分、エンボス等の方法によって熱及び圧力で資材の強度を低下させた部分を例示できる。
【００６２】
引き裂き部８５を介して延出領域ＲＢが引き裂かれることによって、テープ部８０と非テープ部８１が分断し、テープ部８０が非テープ部８１に対して折り返し可能に構成される。図１において、テープ部８０に斜線を付して示す。本実施の形態の引き裂き部８５は、吸収性物品の外縁１０Ｅから吸収性物品１０の内側へ向けた方向に延びている。引き裂き部８５の外端縁８５１は、吸収性物品１０の外縁１０Ｅに到達しており、引き裂き部８５の内端縁８５２は、延出領域ＲＢ内で終端してよい。すなわち、引き裂き部８５の内端縁８５２は、本体領域ＲＡと平面視にて離間している。引き裂き部８５が延出領域ＲＢ内で終端しており、吸収コア２３が配置された本体領域ＲＡに到達していない。そのため、引き裂き部８５の全域にわたって分断した場合であっても、テープ部８０が吸収コア２３に直接影響せず、吸収コア２３からの体液の漏れや吸収材料が零れることを抑制できる。
【００６３】
テープ部８０は、引き裂き部８５と吸収性物品の外縁１０Ｅによって挟まれた領域である。テープ部８０は、引き裂き部８５の内端縁８５２を基点に折り返されてよい。折り返しの基点は、引き裂き部８５の内端縁８５２から吸収性物品の外縁１０Ｅに延びる仮想線ＦＬ１となる。なお、仮想線ＦＬ１は、使用者の折り返し態様によってずれるものであり、図１に示す位置に限定されない。
【００６４】
引き裂き部８５は、表面シート２１及び裏面シート２２の少なくともいずれか一方の繊維の配向方向に沿っていてよい。不織布等の繊維を有するシートは、繊維の配向方向に沿って裂け易い。引き裂き部８５によって分断する際に、繊維の配向に沿って引き裂き箇所が延び易く、テープ部８０を容易に設け、廃棄することができる。
【００６５】
引き裂き部８５は、ヒップフラップ５０に設けられてよい。テープ部８０は、吸収性物品１０の前後方向Ｌの中心よりも後側のヒップフラップに設けられる。なお、ヒップフラップ５０の少なくとも一部及び引き裂き部８５が吸収性物品１０の前後方向Ｌの中心よりも後側に位置していればよく、ヒップフラップ５０全体が吸収性物品１０の前後方向Ｌの中心よりも後側に位置してなくてよい。使用者は、通常吸収性物品１０を丸める際に、吸収性物品１０の前端縁Ｅ１又は後端縁かＥ２ら前後方向Ｌに丸め始める。そのうち、約８割の使用者は、吸収性物品１０の前端縁Ｅ１から丸め始める。よって、テープ部８０は、前後方向Ｌの中心に対して後側に位置する領域に設けられていることが好ましい。ヒップフラップ５０は、臀部の側部を覆うように設けられており、体液が直接付着し難い。当該ヒップフラップ５０に引き裂き部８５を設けることにより、引き裂き部８５によって延出領域ＲＢを引き裂く際に、手に体液が付着することを抑制できる。テープ部材８０の少なくとも一部は、吸収コア２３の後端縁を跨いで、または吸収コアの後端縁よりも後側に配置されてよい。
【００６６】
好ましくは、テープ部８０は、第１折り目Ｆ１〜第３折り目Ｆ３のうちの最も後側の第２折り目Ｆ２よりも後側に設けられてよい。上述のように、約８割の使用者は、使用後の吸収性物品１０を前側から巻き始める。テープ部８０が第２折り目Ｆ２よりも後側に設けられていることにより、多くの使用者は、吸収性物品１０の前端縁Ｅ１から丸め始め、巻き終わり部分をテープ部８０によって止着できる。
【００６７】
次いで、他の実施形態に係る吸収性物品について説明する。なお、以下の説明において、上述の実施形態と同じ箇所については、同符号を用いて説明を省略する。図４は、変形例１に係る吸収性物品１０Ａの肌対向面側から見た平面図である。
【００６８】
変形例１に係る吸収性物品１０Ａのテープ部８０は、非テープ部８１から切り離し可能に構成されている。引き裂き部８５は、吸収性物品の外縁１０Ｅに位置する第１外端縁８５１Ａから吸収性物品の外縁に位置する第２外端縁８５１Ｂまで延びている。引き裂き部８５によって引き裂くことにより、テープ部８０を非テープ部８１から分断できる。テープ部８０は、分断された状態で、テープ部８０の非肌対向面が本体領域ＲＡの肌対向面側に向くように折り返し可能である。テープ部８０が分断されることにより、廃棄時におけるテープ部８０の取り付け位置の制限が少なく、吸収性物品１０を丸めた状態で取り付け易い箇所にテープ部８０を固定できる。
【００６９】
引き裂き部８５は、本体領域ＲＡよりも後側において、幅方向Ｗに延びている。吸収性物品を前後方向に丸めると、本体領域よりも後側の領域は、丸められた状態で表面に露出する。当該露出した部分にテープ部が配置されるため、使用者がテープ部を容易に認識し、テープ部によって吸収性物品を丸めた状態を維持できる。
【００７０】
また、他の形態としては、引き裂き部８５は、本体領域ＲＡよりも幅方向の外側において前後方向に沿っていてもよい。当該他の形態においては、引き裂き部８５の第１外端縁８５１Ａ及び第２外端縁８５１Ｂは、ヒップフラップ５０に設けられてもよいし、ウイング４０に設けられてもよい。
【００７１】
図５は、変形例２に係る吸収性物品１０Ｂの肌対向面側から見た平面図である。変形例２に係る吸収性物品１０Ｂは、一対の引き裂き部８５を有している。一対の引き裂き部８５は、引き裂き部８５の延びる延出方向と直交する直交方向に間隔を空けて配置されている。具体的には、引き裂き部８５は、前後方向Ｌに延びており、幅方向Ｗに間隔を空けて配置されている。引き裂き部８５によって延出領域ＲＢを部分的に引き裂くことにより、一対の引き裂き部８５によって挟まれた部分をテープ部８０として用いることができる。また、他の形態において、一対の引き裂き部８５は、幅方向Ｗに延びており、前後方向Ｌに間隔を空けて配置されてよい。
【００７２】
一対の引き裂き部８５の外端縁８５１は、いずれも吸収性物品の外縁１０Ｅに一致しており、内端縁８５２は、いずれも延出領域ＲＢ内で終端している。一対の引き裂き部８５の内端縁８５２どうしを繋ぐ仮想線ＦＬ２は、テープ部の折り返し基点となる。
【００７３】
図６は、変形例３に係る吸収性物品１０Ｃの肌対向面側から見た平面図である。変形例３に係る吸収性物品１０Ｃのテープ部８０は、凸部８２によって構成されている。延出領域ＲＢは、平面視にて吸収性物品１０の外側に突出した凸部８２を有する。凸部８２は、吸収性物品の外側に膨らんだ部分であってよい。凸部８２は、膨らみの基点となる一対の麓部８３を有してよい。一対の麓部８３は、第１麓部８３１と第２麓部８３２を有してよい。凸部８２は、麓部８３どうし（第１麓部８３１と第２麓部８３２）を繋ぐ仮想線ＦＬ３から外側に位置する部分であってよい。
【００７４】
使用者が、麓部８３を基点として凸部８２を捻ることによって、凸部８２の非肌対向面が吸収性物品１０の肌対向面側に向くように折り返し可能である。凸部８２は、延出領域ＲＢにおいて吸収性物品１０の外側に突出した部分であり、凸部８２に隣接する領域に対して折り返され易い。使用者は、凸部８２を折り返し、テープ部８０の非肌対向面を本体領域ＲＡの非肌対向面又は非テープ部８１の非肌対向面に止着することにより、吸収性物品１０を丸めてテープ部８０によって固定できる。
【００７５】
また、延出領域ＲＢには、麓部８３どうしを結ぶ方向に沿って延びる引き裂き部８５が形成されてもよい。引き裂き部８５は、少なくとも一方の麓部８３から他方の麓部８３に向かって延びていればよい。引き裂き部８５は、一方の麓部８３から他方の麓部８３まで到達してなくてよい。引き裂き部８５によって引き裂くことにより、麓部間の距離を短くできる。凸部の麓部は、テープ部を折り返す際に基点となって捻れる部分である。当該麓部どうしの距離が短くなることにより、テープ部を折り返す際に捻る領域の幅が短くなり、折り返し易くなる。
【００７６】
凸部８２の突出した突出長さＬ８２は、凸部８２の麓部８３どうしを繋いだ距離Ｇ８２よりも長くてよい。麓部８３どうしを繋いだ距離Ｇ８２は、第１麓部８３１から第２麓部８３２を繋ぐ仮想線ＦＬ３の距離である。突出長さＬ８２は、仮想線ＦＬ３に対して直交する直線に沿った仮想線ＦＬ３と凸部８２の先端との距離である。凸部８２の先端は、凸部８２における外縁である。凸部８２の麓部８３は、テープ部８０を折り返す際に基点となって捻れる部分又は引き裂かれる部分である。当該麓部８３どうしを繋いだ距離が短いため、テープ部８０を折り返す際に捻る領域又は引き裂き部８５によって引き裂く領域が短くなり、テープ部８０を使用し易くなる。
【００７７】
また、他の形態として、麓部８３どうしを繋ぐように引き裂き部８５を設けてよい。引き裂き部によって延出領域ＲＢを分断することにより、テープ部８０を非テープ部８１に対して分断できる。よって、廃棄時におけるテープ部８０の取り付け位置の制限が少なく、吸収性物品を丸めた状態で取り付け易い箇所にテープ部８０を固定できる。
【００７８】
図７は、変形例４に係る吸収性物品１０Ｄの肌対向面側から見た平面図である。変形例３に係る吸収性物品１０Ｄのテープ部８０は、凸部８２によって構成されている。凸部８２は、凸部８２の幅が短く形成されたくびれ部８４を有してよい。くびれ部８４は、凸部８２の幅方向（突出する方向と直交する方向）の長さが、突出する方向において隣接する部分よりも短く構成されている。具体的には、凸部８２が前後方向Ｌに突出した形態にあっては、凸部８２の幅方向Ｗの長さが、前後方向Ｌにおいて隣接する部分と比較して短い。くびれ部８４が折り返しの基点となり易く、使用者は、容易に凸部８２によるテープ部を折り返しやすくなる。なお、くびれ部８４を有するテープ部８０にあっては、くびれ部が折り返しの基点となり易い。よって、くびれ部８４に引き裂き部８５を設けてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。例えば、実施形態及び変形例に係るテープ部８０は、いずれも引き裂き部を有してもよいし、凸部を有していてもよい。
【産業上の利用可能性】
【００８０】
着用時の違和感を抑制しつつ、廃棄時に後処理用のテープ部によって清潔に廃棄できる吸収性物品を提供できる。
【符号の説明】
【００８１】
１０、１０Ａ、１０Ｂ、１０Ｃ、１０Ｄ    吸収性物品
２１    表面シート
２２    裏面シート
２３    吸収コア
８０    テープ部
８１    非テープ部
８２    凸部
８３    麓部
８４    くびれ部
８５    引き裂き部
ＲＡ    本体領域
ＲＢ    延出領域
Ｌ      前後方向
Ｗ      幅方向
【図１】
2019115586.tif 000003
【図２】
2019115586.tif 000004
【図３】
2019115586.tif 000005
【図４】
2019115586.tif 000006
【図５】
2019115586.tif 000007
【図６】
2019115586.tif 000008
【図７】
2019115586.tif 000009